【手続補正書】
【提出日】平成18年12月15日(2006.12.15)
【手続補正１】
【補正対象書類名】明細書
【補正対象項目名】特許請求の範囲
【補正方法】変更
【補正の内容】
【特許請求の範囲】
【請求項１】
所定の端子配列構造を有する１種類の外部接続用コネクタと、
外部機器との間で前記外部接続用コネクタを介してそれぞれが異なるプロトコルに従い信号の授受を行う複数種のインタフェースと、
前記外部接続用コネクタに接続された外部機器が有する外部インタフェースの種類を判定する第１の判定手段と、
この第１の判定手段の判定結果に基づいて、前記複数種のインタフェースの中から前記外部機器が有する外部インタフェースに対応するインタフェースを選択するインタフェース選択手段と
を具備したことを特徴とする携帯通信端末。
【請求項２】
前記インタフェース選択手段により選択されたインタフェースを介して外部機器との間で認証手順を実行し、この認証の結果をもとに自端末に対する当該外部機器の接続形態を判定する第２の判定手段と、
この第２の判定手段の判定結果に基づいて、自端末に対する前記外部機器の接続を制御する接続制御手段と
を、さらに具備したことを特徴とする請求項１記載の携帯通信端末。
【請求項３】
前記第１の判定手段は、接続が想定される複数種の外部機器ごとに、その特定端子から出力される電圧値を異なる値に設定しておき、前記外部接続用コネクタに外部機器が接続された場合に、前記特定端子から出力される電圧値を外部接続用コネクタの対応する端子を介して検出し、この検出結果をもとに外部機器が有する外部インタフェースの種類を判定することを特徴とする請求項１記載の携帯通信端末。
【請求項４】
前記第２の判定手段は、前記インタフェース選択手段により選択されたインタフェースを介して外部機器との間で信号の授受を行うことにより当該外部機器の種類及び仕様を検出し、この検出結果をもとに当該外部機器が自端末に対し接続可能な機器であるか否かを判定することを特徴とする請求項２記載の携帯通信端末。
【請求項５】
前記第１の判定手段による判定結果、及び前記第２の判定手段による判定結果の少なくとも一方を表示する表示手段を、さらに備えたことを特徴とする請求項１乃至４のいずれかに記載の携帯通信端末。
【請求項６】
前記外部接続用コネクタは、ＵＳＢ（Universal Serial Bus）端子と所定の付加端子とを備え、前記複数種のインタフェースは、ＵＳＢのスレーブ機能を有するＵＳＢスレーブ・インタフェースと、このＵＳＢスレーブ・インタフェースとは異なる汎用のインタフェースとを備え、
前記第１の判定手段は、外部接続用コネクタに接続された外部機器がＵＳＢのホスト機能を有するＵＳＢホスト・インタフェースを備えるものか否かを判定する機能を有し、
前記インタフェース選択手段は、前記第１の判定手段により、外部機器が前記ＵＳＢホスト・インタフェースを備えていると判定された場合には前記ＵＳＢスレーブ・インタフェースを選択し、外部機器がＵＳＢホスト・インタフェースを備えていないと判定された場合には前記汎用のインタフェースを選択することを特徴とする請求項１記載の携帯通信端末。
【請求項７】
前記インタフェース選択手段は、
前記ＵＳＢスレーブ・インタフェースが選択された場合には、前記外部接続コネクタのＵＳＢ端子を介して前記外部機器との間で信号転送を行い、
一方前記汎用のインタフェースが選択された場合には、前記外部接続コネクタのＵＳＢ端子の一部及び付加端子を選択的に使用して前記外部機器との間で信号転送を行うことを特徴とする請求項６記載の携帯通信端末。
【請求項８】
所定の端子配列構造を有する１つの外部接続用コネクタと、
外部機器との間で前記外部接続用コネクタを介してそれぞれが異なるプロトコルに従い信号の授受を行う複数種のインタフェースと、
前記外部接続用コネクタに接続された外部機器が有する外部インタフェースの種類を判定する第１の判定手段と、
この第１の判定手段の判定結果に基づいて、前記複数種のインタフェースの中から前記外部機器が有する外部インタフェースに対応するインタフェースを選択するインタフェース選択手段と
を具備したことを特徴とする携帯通信端末。
【手続補正２】
【補正対象書類名】明細書
【補正対象項目名】０００９
【補正方法】変更
【補正の内容】
【０００９】
【課題を解決するための手段】
上記目的を達成するために第１の発明は、所定の端子配列構造を有する１種類の外部接続用コネクタを備えた携帯通信端末にあって、外部機器との間で上記外部接続用コネクタを介して異なるプロトコルに従い信号の授受を行う複数種のインタフェースを設けると共に、第１の判定手段と、インタフェース選択手段とを備えている。そして、上記第１の判定手段により、上記外部接続用コネクタに接続された外部機器が有する外部インタフェースの種類を判定し、その判定結果に基づいて、上記インタフェース選択手段により、上記複数種のインタフェースの中から上記外部機器が有する外部インタフェースに対応するインタフェースを選択するようにしたものである。
【手続補正３】
【補正対象書類名】明細書
【補正対象項目名】００１０
【補正方法】変更
【補正の内容】
【００１０】
具体的には、上記第１の判定手段において、接続が想定される複数種の外部機器ごとに、その特定端子から出力される電圧値を異なる値に設定しておき、上記外部接続用コネクタに外部機器が接続された場合に、上記特定端子から出力される電圧値を外部接続用コネクタの対応する端子を介して検出し、この検出結果をもとに外部機器が有する外部インタフェースの種類を判定する。
【手続補正４】
【補正対象書類名】明細書
【補正対象項目名】００１１
【補正方法】変更
【補正の内容】
【００１１】
したがって第１の発明によれば、外部機器が接続されるごとにこの外部機器が保有する外部インタフェースの種類が判定され、この判定結果をもとに、予め用意してある複数種のインタフェースの中から対応するものが選択されて使用される。このため、外部機器が如何なる種類の外部インタフェースを有していても、自端末に接続することが可能となる。
【手続補正５】
【補正対象書類名】明細書
【補正対象項目名】００１２
【補正方法】変更
【補正の内容】
【００１２】
また、複数種のインタフェースはいずれも共通の外部接続用コネクタを介して信号転送を行う。このため、各インタフェースごとにコネクタを設ける必要はなく、これにより携帯通信端末の小型化を維持できる。
【手続補正６】
【補正対象書類名】明細書
【補正対象項目名】００１３
【補正方法】変更
【補正の内容】
【００１３】
一方第２の発明は、上記第１の発明の構成要素に加えて、第２の判定手段と、接続制御手段とをさらに備える。そして、上記第２の判定手段により、上記インタフェース選択手段によって選択されたインタフェースを介して外部機器との間で認証手順を実行し、この認証の結果をもとに自端末に対する当該外部機器の接続形態を判定し、この判定結果に基づいて、上記接続制御手段により自端末に対する上記外部機器の接続を制御するようにしたものである。
【手続補正７】
【補正対象書類名】明細書
【補正対象項目名】００１４
【補正方法】変更
【補正の内容】
【００１４】
具体的には、上記第２の判定手段において、上記インタフェース選択手段により選択されたインタフェースを介して外部機器との間で信号の授受を行うことにより当該外部機器の種類及び仕様を検出し、この検出結果をもとに当該外部機器が自端末に対し接続可能な機器であるか否かを判定する。
【手続補正８】
【補正対象書類名】明細書
【補正対象項目名】００１８
【補正方法】変更
【補正の内容】
【００１８】
さらに、上記第１の発明の具体例としては次のような構成が考えられる。すなわち、外部接続用コネクタには、ＵＳＢ端子と所定の付加端子とを設け、複数種のインタフェースとしては、ＵＳＢのスレーブ機能を有するＵＳＢスレーブ・インタフェースと、このＵＳＢスレーブ・インタフェースとは異なる汎用のインタフェースとを備える。そして、第１の判定手段では、外部接続用コネクタに接続された外部機器がＵＳＢのホスト機能を有するＵＳＢホスト・インタフェースを備えるものか否かを判定し、インタフェース選択手段では、上記第１の判定手段により外部機器が前記ＵＳＢホスト・インタフェースを備えていると判定された場合には上記ＵＳＢスレーブ・インタフェースを選択し、外部機器がＵＳＢホスト・インタフェースを備えていないと判定された場合には上記汎用のインタフェースを選択する。
【手続補正９】
【補正対象書類名】明細書
【補正対象項目名】００１９
【補正方法】変更
【補正の内容】
【００１９】
またその際、上記ＵＳＢスレーブ・インタフェースが選択された場合には、外部接続コネクタのＵＳＢ端子を介して外部機器との間で信号転送を行い、一方上記汎用のインタフェースが選択された場合には、外部接続コネクタのＵＳＢ端子の一部及び付加端子を選択的に使用して外部機器との間で信号転送を行う。
【手続補正１０】
【補正対象書類名】明細書
【補正対象項目名】００２０
【補正方法】変更
【補正の内容】
【００２０】
このような構成であれば、外部機器が例えばパーソナル・コンピュータのようにＵＳＢのホスト機能を持つ機器であれば、ＵＳＢスレーブ・インタフェースが選択されてＵＳＢによる接続が行われ、一方外部機器が例えばＢＴユニットやメモリカード、キーボード等のようにＵＳＢのホスト機能を持たない機器の場合には、シリアル・インタフェースのような汎用のインタフェースが選択されて接続が行われる。このため、携帯通信端末にはＵＳＢホスト・インタフェースを設ける必要がなく、この結果大容量のメモリや処理能力の高いＣＰＵは不要となって、携帯通信端末の消費電力やコストアップの増加は防止される。
【手続補正１１】
【補正対象書類名】明細書
【補正対象項目名】００２１
【補正方法】変更
【補正の内容】
【００２１】
また、ＵＳＢ接続が選択された場合も、またその他の汎用のインタフェースが選択された場合も、ＵＳＢ端子を有する１個のコネクタが使用される。このため、ＵＳＢ端子を有するコネクタとは別に例えばシリアル・インタフェース用のコネクタを設ける必要はなくなり、これにより携帯通信端末の小型化を維持することができる。
【手続補正１２】
【補正対象書類名】明細書
【補正対象項目名】００６４
【補正方法】変更
【補正の内容】
【００６４】
【発明の効果】
所定の端子配列構造を有する１種類の外部接続用コネクタを備えた携帯通信端末にあって、外部機器との間で上記外部接続用コネクタを介して異なるプロトコルに従い信号の授受を行う複数種のインタフェースを設けると共に、第１の判定手段と、インタフェース選択手段とを備えている。そして、上記第１の判定手段により、上記外部接続用コネクタに接続された外部機器が有する外部インタフェースの種類を判定し、その判定結果に基づいて、上記インタフェース選択手段により、上記複数種のインタフェースの中から上記外部機器が有する外部インタフェースに対応するインタフェースを選択するようにしている。